(57)【要約】      （修正有）【課題】狭い奥行寸法しか確保できない既設窓枠の部分であっても容易に設置できる建具、敷居レール部材及び鴨居レール部材を提供する。【解決手段】建具１００は、既存の開口枠２００に取り付け可能な建具１００であって、長尺状の敷居レール部材１１及び長尺状の鴨居レール部材１２で構成される障子用レール１０と、敷居レール部材１１と鴨居レール部材１２との間に互いに引き違い自在に配置される第１障子部材２１及び第２障子部材２２と、を備え、敷居レール部材１１は、開口枠２００の下部に沿って開口枠２００の上面に取り付けられ、鴨居レール部材１２は、開口枠２００の上部に沿って開口枠２００の下面に取り付けられ、敷居レール部材１１及び鴨居レール部材１２は、第１障子部材２１及び第２障子部材２２を重ねた奥行寸法よりも小さい奥行寸法を有する。【選択図】図３
0003211594.tif 000002
【実用新案登録請求の範囲】
【請求項１】
既存の開口枠に取り付け可能な建具であって、
前記建具は、長尺状の敷居レール部材及び長尺状の鴨居レール部材で構成される障子用レールと、前記敷居レール部材と前記鴨居レール部材との間に互いに引き違い自在に配置される第１障子部材及び第２障子部材と、を備え、
前記敷居レール部材は、前記開口枠の下部に沿って前記開口枠の上面に取り付けられ、
前記鴨居レール部材は、前記開口枠の上部に沿って前記開口枠の下面に取り付けられ、
前記敷居レール部材及び前記鴨居レール部材は、前記第１障子部材及び前記第２障子部材を重ねた奥行寸法よりも小さい奥行寸法を有する
ことを特徴とする建具。
【請求項２】
前記第１障子部材は、下面に、長手方向に沿って設けられる第１係止溝を有し、
前記第２障子部材は、下面に、長手方向に沿って設けられる第２係止溝を有し、
前記敷居レール部材は、
上部に摺動面が設けられた基部と、
前記基部における奥行方向の両端部に、長手方向に沿って設けられ、前記第１係止溝に係止される第１係止条及び前記第２係止溝に係止される第２係止条と、を有する
ことを特徴とする請求項１に記載の建具。
【請求項３】
前記敷居レール部材は、前記第１係止条と前記第２係止条との間に前記長手方向に沿って設けられ、前記第１障子部材と前記第２障子部材との間に両者を仕切るように配置される敷居補強リブを有する
ことを特徴とする請求項１又は請求項２に記載の建具。
【請求項４】
前記基部は、前記摺動面を有する摺動部材を上部に備え、
前記摺動部材は、前記敷居補強リブによって仕切られて奥行方向の移動が規制される
ことを特徴とする請求項３に記載の建具。
【請求項５】
前記第１障子部材は、上面に、長手方向に沿って設けられる第３係止溝を有し、
前記第２障子部材は、上面に、長手方向に沿って設けられる第４係止溝を有し、
前記鴨居レール部材は、
基部と、
前記基部における奥行方向の両端部に、長手方向に沿って設けられ、前記第３係止溝に係止される第３係止条及び前記第４係止溝に係止される第４係止条と、を有する
ことを特徴とする請求項１から請求項４のいずれか１項に記載の建具。
【請求項６】
前記鴨居レール部材は、前記第３係止条と前記第４係止条との間に前記長手方向に沿って設けられ、前記第１障子部材と前記第２障子部材との間に両者を仕切るように配置される鴨居補強リブを有する
ことを特徴とする請求項１から請求項５のいずれか１項に記載の建具。
【請求項７】
前記第３係止条及び前記第４係止条の上下寸法は、前記第１係止条及び前記第２係止条の上下寸法より大きい
ことを特徴とする請求項１から請求項６のいずれか１項に記載の建具。
【請求項８】
前記第１障子部材又は前記第２障子部材は、前記開口枠の縦枠に対向して竪桟に沿って前記竪桟に配置された、前記縦枠に自在に接する障子部材側パッキンを有する
ことを特徴とする請求項１から請求項７のいずれか１項に記載の建具。
【請求項９】
前記開口枠は、前記竪桟に対向して前記開口枠の縦枠に沿って前記縦枠に配置された、前記竪桟に自在に接する開口枠側パッキンを有する
ことを特徴とする請求項１から請求項８のいずれか１項に記載の建具。
【請求項１０】
前記敷居レール部材又は前記鴨居レール部材は、前記基部に、ビス逃げ溝を有する
ことを特徴とする請求項１から請求項９のいずれか１項に記載の建具。
【請求項１１】
既存の開口枠に対して第１障子部材及び第２障子部材を互いに引き違い自在に配置可能な敷居レール部材であって、
上部に摺動面が設けられた基部と、
前記基部における奥行方向の両端部に、長手方向に沿って設けられ、前記第１障子部材の下面に設けられた第１係止溝に係止される第１係止条及び前記第２障子部材の下面に設けられた第２係止溝に係止される第２係止条を有し、
前記基部の下面は、前記開口枠に対して全面的に貼着できるように平坦となっている
ことを特徴とする敷居レール部材。
【請求項１２】
既存の開口枠に対して第１障子部材及び第２障子部材を互いに引き違い自在に配置可能な鴨居レール部材であって、
基部と、
前記基部における奥行方向の両端部に、長手方向に沿って設けられ、前記第１障子部材の上面に設けられた第３係止溝に係止される第３係止条及び前記第２障子部材の上面に設けられた第４係止溝に係止される第４係止条を有し、
前記基部の上面は、前記開口枠に対して全面的に貼着できるように平坦となっている
ことを特徴とする鴨居レール部材。
【考案の詳細な説明】
【技術分野】
【０００１】
本考案は、建具、敷居レール部材及び鴨居レール部材に関するものである。
【背景技術】
【０００２】
従来、既設木製窓枠の内側に改装用金属製窓枠を設置し、その改装用金属製窓枠に障子を設置した建具がある。（特許文献１参照）。
【先行技術文献】
【特許文献】
【０００３】
【特許文献１】実開昭５６−２７２６７号公報
【考案の概要】
【考案が解決しようとする課題】
【０００４】
しかしながら、特許文献１に記載された建具の改装用金属製窓枠は、十分な奥行のある既設木製窓枠に対して釘又はネジで固定するための構造であって、大きな奥行寸法を有するものである。よって、例えば、既設窓枠における既設ガラス窓より室内側に障子を追加して設置したい場合、特許文献１に記載された建具の改装用金属製窓枠を、狭い奥行寸法しか確保できない既設窓枠の部分に追加して設置することは困難である。
本考案は、上記事情に鑑みてなされたものであり、狭い奥行寸法しか確保できない既設窓枠の部分であっても容易に設置できる建具、敷居レール部材及び鴨居レール部材を提供することを目的とする。
【課題を解決するための手段】
【０００５】
上記目的を達成するために、本考案は以下の構成によって把握される。
（１）本考案の建具は、既存の開口枠に取り付け可能な建具であって、前記建具は、長尺状の敷居レール部材及び長尺状の鴨居レール部材で構成される障子用レールと、前記敷居レール部材と前記鴨居レール部材との間に互いに引き違い自在に配置される第１障子部材及び第２障子部材と、を備え、前記敷居レール部材は、前記開口枠の下部に沿って前記開口枠の上面に取り付けられ、前記鴨居レール部材は、前記開口枠の上部に沿って前記開口枠の下面に取り付けられ、前記敷居レール部材及び前記鴨居レール部材は、前記第１障子部材及び前記第２障子部材を重ねた奥行寸法よりも小さい奥行寸法を有する。
（２）上記（１）の構成において、前記第１障子部材は、下面に、長手方向に沿って設けられる第１係止溝を有し、前記第２障子部材は、下面に、長手方向に沿って設けられる第２係止溝を有し、前記敷居レール部材は、上部に摺動面が設けられた基部と、前記基部における奥行方向の両端部に、長手方向に沿って設けられ、前記第１係止溝に係止される第１係止条及び前記第２係止溝に係止される第２係止条と、を有する。
（３）上記（１）又は（２）の構成において、前記敷居レール部材は、前記第１係止条と前記第２係止条との間に前記長手方向に沿って設けられ、前記第１障子部材と前記第２障子部材との間に両者を仕切るように配置される敷居補強リブを有する。
（４）上記（１）から（３）のいずれかの構成において、前記基部は、前記摺動面を有する摺動部材を上部に備え、前記摺動部材は、前記敷居補強リブによって仕切られて奥行方向の移動が規制される。
（５）上記（１）から（４）のいずれかの構成において、前記第１障子部材は、上面に、長手方向に沿って設けられる第３係止溝を有し、前記第２障子部材は、上面に、長手方向に沿って設けられる第４係止溝を有し、前記鴨居レール部材は、基部と、前記基部における奥行方向の両端部に、長手方向に沿って設けられ、前記第３係止溝に係止される第３係止条及び前記第４係止溝に係止される第４係止条と、を有する。
（６）上記（１）から（５）のいずれかの構成において、前記鴨居レール部材は、前記第３係止条と前記第４係止条との間に前記長手方向に沿って設けられ、前記第１障子部材と前記第２障子部材との間に両者を仕切るように配置される鴨居補強リブを有する。
（７）上記（１）から（６）のいずれかの構成において、前記第３係止条及び前記第４係止条の上下寸法は、前記第１係止条及び前記第２係止条の上下寸法より大きい。
（８）上記（１）から（７）のいずれかの構成において、前記第１障子部材又は前記第２障子部材は、前記開口枠の縦枠に対向して竪桟に沿って前記竪桟に配置された、前記縦枠に自在に接する障子部材側パッキンを有する。
（９）上記（１）から（８）のいずれかの構成において、前記開口枠は、前記竪桟に対向して前記開口枠の縦枠に沿って前記縦枠に配置された、前記竪桟に自在に接する開口枠側パッキンを有する。
（１０）上記（１）から（９）のいずれかの構成において、前記敷居レール部材又は前記鴨居レール部材は、前記基部に、ビス逃げ溝を有する。
（１１）本考案の敷居レール部材は、既存の開口枠に対して第１障子部材及び第２障子部材を互いに引き違い自在に配置可能な敷居レール部材であって、上部に摺動面が設けられた基部と、前記基部における奥行方向の両端部に、長手方向に沿って設けられ、前記第１障子部材の下面に設けられた第１係止溝に係止される第１係止条及び前記第２障子部材の下面に設けられた第２係止溝に係止される第２係止条を有し、前記基部の下面は、前記開口枠に対して全面的に貼着できるように平坦となっている。
（１２）本考案の鴨居レール部材は、既存の開口枠に対して第１障子部材及び第２障子部材を互いに引き違い自在に配置可能な鴨居レール部材であって、基部と、前記基部における奥行方向の両端部に、長手方向に沿って設けられ、前記第１障子部材の上面に設けられた第３係止溝に係止される第３係止条及び前記第２障子部材の上面に設けられた第４係止溝に係止される第４係止条を有し、前記基部の上面は、前記開口枠に対して全面的に貼着できるように平坦となっている。
【考案の効果】
【０００６】
本考案によれば、狭い奥行寸法しか確保できない既設窓枠の部分であっても容易に設置できる建具、敷居レール部材及び鴨居レール部材を提供できる。
【図面の簡単な説明】
【０００７】
【図１】本考案の建具を設置する開口枠を室内側から見た斜視図である。
【図２】開口枠に設置された本考案の障子用レールを室内側から見た斜視図である。
【図３】開口枠に設置された本考案の建具を室内側から見た斜視図である。
【図４】（ａ）は、本考案の建具の分解図であり、図３においてＡ矢視方向に見た図である。（ｂ）は、図３におけるＡ矢視方向に見た図である。
【図５】（ａ）は、開口枠の左下部を室内側から見た斜視図であり、（ｂ）は、開口枠の右下部を室内側から見た斜視図である。
【図６】障子部材が閉まっている状態での図４（ａ）におけるＢ矢視断面図である。
【０００８】
（実施形態）
以下、図面を参照して本考案を実施するための形態（以下、実施形態）について詳細に説明する。なお、実施形態の説明の全体を通して同じ要素には同じ符号を付している。また、以下では、特に説明のない限り、天井側を上部、床側を下部とし、室内から室外に向かう方向を奥行方向とする。
【０００９】
図１は、本考案の建具１００を設置する開口枠２００を室内側から見た斜視図である。図２は、開口枠２００に設置された本考案の障子用レール１０を室内側から見た斜視図である。図３は、開口枠２００に設置された本考案の建具１００を室内側から見た斜視図である。図４（ａ）は、本考案の建具１００の分解図であり、図３においてＡ矢視方向に見た図である。図４（ｂ）は、図３におけるＡ矢視方向に見た図である。
【００１０】
図３に示すように、建具１００は、長尺状の敷居レール部材１１及び長尺状の鴨居レール部材１２により構成される障子用レール１０と、敷居レール部材１１と鴨居レール部材１２との間に互いに引き違い自在に配置される第１障子部材２１及び第２障子部材２２と、を備える。
以下、建具１００を構成する各部材を説明しながら、開口枠２００に建具１００を取り付ける手順に沿って説明する。
【００１１】
図１に示すように、本考案の建具１００（不図示）は、既存の開口枠２００に取り付け可能な建具１００である。
既存の開口枠２００は、例えば、建築物における洋室の壁に設けられた窓等の開口Ｏの縁に沿って設けられる。開口枠２００は、上部の上枠２０１、下部の下枠２０２、左部の左縦枠２０３（縦枠）及び右部の右縦枠２０４（縦枠）を備え、それぞれが組み合わされて矩形枠状になっている。
【００１２】
次に、図２に示すように、開口枠２００に対して長尺状の敷居レール部材１１及び長尺状の鴨居レール部材１２により構成される障子用レール１０を取り付ける。敷居レール部材１１は、開口枠２００の下部の下枠２０２に沿って開口枠２００の上面に取り付けられる。また、鴨居レール部材１２は、敷居レール部材１１と対向するように、開口枠２００の上部の上枠２０１に沿って開口枠２００の下面に取り付けられる。
【００１３】
（レール部材）
図４（ａ）に示すように、敷居レール部材１１は、押出成形による樹脂製のものであり、長手方向に一様な、アルファベットのＥ字状の断面を有する。
敷居レール部材１１は、上部に摺動面１１ｓが設けられた基部１１Ｂと、基部１１Ｂにおける奥行方向の両端部に、長手方向に沿って設けられ、第１障子部材２１の下面に設けられた第１係止溝Ｇ１に係止される第１係止条Ｊ１及び第２障子部材２２の下面に設けられた第２係止溝Ｇ２に係止される第２係止条Ｊ２と、を有する。
【００１４】
また、基部１１Ｂの下面は、開口枠２００に対して全面的に貼着できるように平坦となっている。ここでいう平坦とは、実質的に平坦であることを意味し、接着性を向上させるためのシボ加工された面や筋状の凹凸を有する面を含む概念である。
【００１５】
なお、敷居レール部材１１は、図４（ａ）に示すように、基部１１Ｂの上部にある摺動面１１ｓの上に、さらに別の摺動面Ｓを備える敷居スベリ４０を備えてもよい。
【００１６】
また、敷居レール部材１１は、図４（ａ）に示すように、基部１１Ｂの上部にある摺動面１１ｓの上に、不陸調整用シート５０を備え、さらにその上に、別の摺動面Ｓを上部に備える敷居スベリ４０を備えてもよい。なお、敷居スベリ４０の摺動面Ｓは、長手方向に沿う筋状の凹凸を有してもよい。
【００１７】
不陸調整用シート５０は、例えば、マスキングテープのような薄いテープ状のものであってよい。これにより、既設の開口枠２００に不陸があること等に起因して、敷居レール部材１１における摺動面１１ｓに一部の低い部分があったとしても、その低い部分の低さに応じて不陸調整用シート５０を所望の枚数重ね合わせて敷き、一部に不陸調整用シート５０が敷かれた基部１１Ｂの上に、敷居スベリ４０を敷くことで、敷居スベリ４０の摺動面Ｓを平らにできる。よって、敷居レール部材１１の上を、障子部材２０が滑らかにスライドできる。なお、既設の開口枠２００に対して敷居レール部材１１及び敷居スベリ４０を施工した後の摺動面Ｓが平らであれば、不陸調整用シート５０は不要である。
【００１８】
敷居レール部材１１は、基部１１Ｂの上部の摺動面１１ｓに、長手方向に沿うビス逃げ溝Ｋを有する。
また、敷居レール部材１１は、長手方向に沿って適宜のピッチで配置される留めビス３１を有する。そして、敷居レール部材１１は、留めビス３１により、開口枠２００に固定される。ビス逃げ溝Ｋの断面は、留めビス３１の頭部よりやや大きく設定されており、図４（ｂ）に示すように、留めビス３１によって敷居レール部材１１が開口枠２００に固定された状態で、留めビス３１の頭部が摺動面１１ｓより上に突出しないようになっている。
なお、敷居レール部材１１は、開口枠２００に対して接着剤や両面テープ等によって固定されてよいので、留めビス３１による固定は必須ではない。
【００１９】
敷居レール部材１１は、第１係止条Ｊ１と第２係止条Ｊ２との間に長手方向に沿って設けられ、第１障子部材２１と第２障子部材２２との間に両者を仕切るように配置される敷居補強リブＲ１を有する。なお、敷居レール部材１１は、第１係止条Ｊ１と第２係止条Ｊ２とで障子部材２０を奥行方向に規制するので、敷居補強リブＲ１を備えなくてもよい。
敷居レール部材１１が敷居補強リブＲ１を有することにより、敷居レール部材１１の剛性が高まり、製造直後の変形が抑制されて製作精度や直線性が高まる。
また、敷居補強リブＲ１が第１障子部材２１と第２障子部材２２との間に両者を仕切るように配置されるので、第１障子部材２１のガイドと第２障子部材２２とを兼ねることができる。なお、第１障子部材２１のガイドと及び第２障子部材２２のガイドは、それぞれ、第１係止条Ｊ１及び第２係止条Ｊ２が完全に担ってもよい。すなわち、第１係止溝Ｇ１に第１係止条Ｊ１が係止している状態で第１障子部材２１を室外側に移動しても、敷居補強リブＲ１に接しないように、第１障子部材２１と敷居レール部材１１との寸法関係及び配置関係を設定してよい。同様に、第２係止溝Ｇ２に第２係止条Ｊ２が係止している状態で第２障子部材２２を室内側に移動しても、敷居補強リブＲ１に接しないように、第１障子部材２１と鴨居レール部材１２との寸法関係及び配置関係を設定してもよい。
さらに、敷居レール部材１１が敷居補強リブＲ１を有することにより、低摩擦係数の上面を有する敷居スベリ４０として市場で入手容易な幅（奥行方向）が２０ｍｍ程度のものを採用した際に、その敷居スベリ４０は、第１係止条Ｊ１と敷居補強リブＲ１との間又は第２係止条Ｊ２と敷居補強リブＲ１との間に丁度収まるので、敷居スベリ４０が奥行方向にずれてしまうことを規制できる。
【００２０】
一方、鴨居レール部材１２は、敷居レール部材１１と同様に、押出成形による樹脂製のものであり、長手方向に一様な、アルファベットのＥ字状の断面を有する。
鴨居レール部材１２は、基部１２Ｂと、基部１２Ｂにおける奥行方向の両端部に、長手方向に沿って設けられ、第１障子部材２１の上面に設けられた第３係止溝Ｇ３に係止される第３係止条Ｊ３及び第２障子部材２２の上面に設けられた第４係止溝Ｇ４に係止される第４係止条Ｊ４と、を有する。
また、基部１２Ｂの上面は、開口枠２００に対して全面的に貼着できるように平坦となっている。
【００２１】
鴨居レール部材１２は、基部１２Ｂの下面に、長手方向に沿うビス逃げ溝Ｋを有する。
また、鴨居レール部材１２は、長手方向に沿って適宜のピッチで配置される留めビス３２を有する。そして、鴨居レール部材１２は、留めビス３２により、開口枠２００の上枠２０１に固定される。ビス逃げ溝Ｋの断面は、留めビス３２の頭部よりやや大きく設定されており、図４（ｂ）に示すように、留めビス３２によって鴨居レール部材１２が開口枠２００に固定された状態で、留めビス３２の頭部が基部１２Ｂの下面より下に突出しないようになっている。なお、鴨居レール部材１２は、開口枠２００に対して接着剤や両面テープ等によって固定されてよいので、留めビス３２による固定は必須ではない。
【００２２】
鴨居レール部材１２は、第３係止条Ｊ３と第４係止条Ｊ４との間に長手方向に沿って設けられ、第１障子部材２１と第２障子部材２２との間に両者を仕切るように配置される鴨居補強リブＲ２を有する。なお、鴨居レール部材１２は、第３係止条Ｊ３と第４係止条Ｊ４とで障子部材２０を奥行方向に規制するので、鴨居補強リブＲ２を備えなくてもよい。
鴨居レール部材１２が鴨居補強リブＲ２を有することにより、鴨居レール部材１２の剛性が高まり、製造直後の変形が抑制されて製作精度や直線性が高まる。
【００２３】
また、鴨居補強リブＲ２が第１障子部材２１と第２障子部材２２との間に両者を仕切るように配置されるので、第１障子部材２１のガイドと第２障子部材２２とを兼ねることができる。なお、第１障子部材２１のガイドと及び第２障子部材２２のガイドは、それぞれ、第３係止条Ｊ３及び第４係止条Ｊ４が完全に担ってもよい。すなわち、第３係止溝Ｇ３に第３係止条Ｊ３が係止している状態で第１障子部材２１を室外側に移動しても、鴨居補強リブＲ２に接しないように、第１障子部材２１と鴨居レール部材１２との寸法関係及び配置関係を設定してよい。同様に、第４係止溝Ｇ４に第４係止条Ｊ４が係止している状態で第２障子部材２２を室内側に移動しても、鴨居補強リブＲ２に接しないように、第１障子部材２１と鴨居レール部材１２との寸法関係及び配置関係を設定してもよい。
【００２４】
鴨居レール部材１２の第３係止条Ｊ３及び第４係止条Ｊ４における基部１２Ｂから下方に突出する高さである上下寸法は、少なくとも敷居レール部材１１の第１係止条Ｊ１及び第２係止条Ｊ２における基部１１Ｂから上方に突出する高さ分だけ、敷居レール部材１１の第１係止条Ｊ１及び第２係止条Ｊ２における基部１１Ｂから上方に突出する高さである上下寸法より大きい。
これにより、開口枠２００に敷居レール部材１１及び鴨居レール部材１２が取り付けられた状態で、敷居レール部材１１及び鴨居レール部材１２に対して第１障子部材２１及び第２障子部材２２を取り付けできる。
【００２５】
（障子部材）
続いて、図３に示すように、障子用レール１０に対して第１障子部材２１及び第２障子部材２２を取り付ける。
具体的には、第２障子部材２２を傾けた状態で、第４係止条Ｊ４と第４係止溝Ｇ４とを係止し、係止した状態で上方に持ち上げながら、第２障子部材２２を直立させた状態になるまで回転させて、その後、第２障子部材２２を下方に降ろし、第２係止条Ｊ２と第２係止溝Ｇ２とを係止する（図４（ａ）参照）。
同様に、第１障子部材２１を傾けた状態で、第３係止条Ｊ３と第３係止溝Ｇ３とを係止し、係止した状態で上方に持ち上げながら、第１障子部材２１を直立させた状態になるまで回転させて、その後、第１障子部材２１を下方に降ろし、第１係止条Ｊ１と第１係止溝Ｇ１とを係止する（図４（ａ）参照）。
【００２６】
図３に示すように、第１障子部材２１は、上部の上桟２１Ｕ、下部の下桟２１Ｄ、左部の左竪桟２１Ｌ（竪桟）及び右部の右竪桟２１Ｒ（竪桟）を備え、それぞれが組み合わされて矩形枠２１ｆになっている。
また、第１障子部材２１は、矩形枠２１ｆの内側に格子状の組子２１ａを備え、矩形枠２１ｆ及び組子２１ａの室外側の面に紙Ｐが貼られている。なお、組子２１ａの格子状は、荒間タイプであっても、吹寄タイプであってもよい。
【００２７】
同様に、第２障子部材２２は、上部の上桟２２Ｕ、下部の下桟２２Ｄ、左部の左竪桟２２Ｌ及び右部の右竪桟２２Ｒを備え、それぞれが組み合わされて矩形枠２２ｆになっている。
また、第２障子部材２２は、矩形枠２２ｆの内側に格子状の組子２２ａを備え、矩形枠２２ｆ及び組子２２ａの室外側の面に紙Ｐが貼られている。
【００２８】
第１障子部材２１は、下面に、長手方向に沿って設けられる第１係止溝Ｇ１を有し、上面に、長手方向に沿って設けられる第３係止溝Ｇ３を有する。
同様に、第２障子部材２２は、下面に、長手方向に沿って設けられる第２係止溝Ｇ２を有し、上面に、長手方向に沿って設けられる第４係止溝Ｇ４を有する。
【００２９】
また、第３係止溝Ｇ３及び第４係止溝Ｇ４の溝深さは、第３係止条Ｊ３及び第４係止条Ｊ４の高さに対応して、第１係止溝Ｇ１及び第２係止溝Ｇ２の溝深さより深くなっている。これにより、開口枠２００に敷居レール部材１１及び鴨居レール部材１２が取り付けられた状態で、敷居レール部材１１及び鴨居レール部材１２に対して第１障子部材２１及び第２障子部材２２を取り付けできる。
【００３０】
図４（ｂ）に示すように、敷居レール部材１１及び鴨居レール部材１２は、第１障子部材２１及び第２障子部材２２を重ねた奥行寸法Ｗ＋Ｗよりも小さい奥行寸法ｗを有する。
このように、敷居レール部材１１及び鴨居レール部材１２は、第１障子部材２１及び第２障子部材２２を重ねた奥行寸法Ｗ＋Ｗよりも小さい奥行寸法ｗを有するので、奥行寸法Ｗ＋Ｗよりも狭い奥行寸法しか確保できない既設窓枠の部分であっても、敷居レール部材１１及び鴨居レール部材１２を設置できる。よって、奥行寸法Ｗ＋Ｗよりも狭い奥行寸法しか確保できない開口枠２００に対して、第１障子部材２１及び第２障子部材２２を引き違い自在に配置された状態で、建具１００を容易に設置できる。
なお、第１障子部材２１の奥行寸法と第２障子部材２２の奥行寸法は、同じであってよく、異なっていてもよい。
【００３１】
（高さ調節部材）
また、図４（ａ）及び（ｂ）に示すように、障子部材２０は、高さ調節部材６０を有する。第１障子部材２１は、第１高さ調節部材６１を有し、第２障子部材２２は、第２高さ調節部材６２を有する。
【００３２】
第１高さ調節部材６１は、本体部６１Ｍと、本体部６１Ｍを第１障子部材２１に取り付けるための固定部６１Ｆと、本体部６１Ｍに対して上下方向に進退可能に設けられ、第１障子部材２１の下面から微小に突出するように設けられる摺動下面６１Ｓを有する進退部６１Ｐと、進退部６１Ｐの位置を調節する調節部６１Ａと、を有する。
同様に、第２高さ調節部材６２は、本体部６２Ｍと、本体部６２Ｍを第２障子部材２２に取り付けるための固定部６２Ｆと、本体部６２Ｍに対して上下方向に進退可能に設けられ、第２障子部材２２の下面から微小に突出するように設けられる摺動下面６２Ｓを有する進退部６２Ｐと、進退部６２Ｐの位置を調節する調節部６２Ａと、を有する。
【００３３】
第１高さ調節部材６１は、第１障子部材２１の左右両端部の下面に設けられる。
同様に、第２高さ調節部材６２は、第２障子部材２２の左右両端部の下面に設けられる。
【００３４】
そして、高さ調節部材６０の動作を第１高さ調節部材６１を例に採って説明すると、ユーザがプラスドライバ（不図示）等を用いて調節部６１Ａを右に回転させると、第１高さ調節部材６１に内蔵されたギヤ機構（不図示）により、本体部６１Ｍに対して進退部６１Ｐが下方に進み、左に回転させると、進退部６１Ｐが上方に退く。
これにより、第１障子部材２１の左右両端部に設けられた第１高さ調節部材６１を、それぞれ個別に調節することで、第１障子部材２１を開口枠２００に取り付ける前であっても後であっても、第１障子部材２１の姿勢を調節できる。
同様に、第２障子部材２２の左右両端部に設けられた第２高さ調節部材６２を、それぞれ個別に調節することで、第２障子部材２２を開口枠２００に取り付ける前であっても後であっても、第２障子部材２２の姿勢を調節できる。
【００３５】
（パッキン）
次に、障子部材側パッキン７０及び開口枠側パッキン８０について説明する。
図５（ａ）は、開口枠２００の左下部を室内側から見た斜視図である。図５（ｂ）は、開口枠２００の右下部を室内側から見た斜視図である。図６は、障子部材２０が閉まっている状態での図４（ａ）におけるＢ矢視断面図である。
【００３６】
図４（ａ）及び図４（ｂ）に示すように、第２障子部材２２は、開口枠２００における左部の左縦枠２０３に対向して、左部の左竪桟２２Ｌに沿って右竪桟２２Ｒに配置された、左部の左縦枠２０３に自在に接する第２障子部材側パッキン７２を有する。
第２障子部材側パッキン７２は、手の力で大きく変形可能な程度の弾性を有する樹脂製のものであり、第２障子部材２２と左縦枠２０３との隙間を埋めるものであると同時に、障子部材２０を勢いよく閉めたときの衝撃吸収をするものである。
第２障子部材側パッキン７２により、第２障子部材２２又は左縦枠２０３が湾曲等していることに起因して、第２障子部材２２と左縦枠２０３とが接したときに気密にならずに隙間が生じるような場合であっても、第２障子部材側パッキン７２が変形して第２障子部材２２と左縦枠２０３との隙間に馴染み、第２障子部材２２と左縦枠２０３との隙間が生じないようにできる。
【００３７】
同様に、図４（ａ）及び図４（ｂ）において省略されているが、第１障子部材２１は、開口枠２００における右部の右縦枠２０４に対向して、右部の右竪桟２１Ｒに沿って右竪桟２１Ｒに配置された、右部の右縦枠２０４に自在に接する第１障子部材側パッキン７１を有する。
第１障子部材側パッキン７１により、第１障子部材２１と右縦枠２０４との隙間が生じないようにできる。
よって、第１障子部材２１及び第２障子部材２２によって開口枠２００の開口Ｏを閉じた状態で、第１障子部材２１及び第２障子部材２２と開口枠２００との隙間が生じないようにできる。よって、隙間からの空気や光の漏れを防ぐことができる。
【００３８】
図５（ａ）及び図５（ｂ）に示すように、開口枠２００は、障子部材２０（図３参照）を閉めたときに障子部材２０と接する位置に、開口枠側パッキン８０を有する。
図５（ａ）に示すように、開口枠２００は、左竪桟２２Ｌ（図３参照）に対向して開口枠２００の左部の左縦枠２０３に沿って左縦枠２０３に配置された、左竪桟２２Ｌに自在に接する第２開口枠側パッキン８２を有する。
【００３９】
また、図５（ｂ）に示すように、開口枠２００は、右竪桟２１Ｒ（図３参照）に対向して開口枠２００の右部の右縦枠２０４に沿って右縦枠２０４に配置された、右竪桟２１Ｒに自在に接する第１開口枠側パッキン８１を有する。
【００４０】
開口枠側パッキン８０により、障子部材側パッキン７０と同様に、第１障子部材２１及び第２障子部材２２によって開口枠２００の開口Ｏを閉じた状態で、第１障子部材２１及び第２障子部材２２と開口枠２００との隙間が生じないようにできる。よって、隙間からの空気や光の漏れを防ぐことができる。
【００４１】
さらに、図６に示すように、建具１００は、障子部材側パッキン７０と開口枠側パッキン８０の両方を備えてもよい。
具体的には、第１障子部材２１に第１障子部材側パッキン７１を設け、第１障子部材側パッキン７１と対応する位置に、第１開口枠側パッキン８１を設け、同様に、第２障子部材２２に第２障子部材側パッキン７２を設け、第２障子部材側パッキン７２と対応する位置に、第２開口枠側パッキン８２を設けてよい。
これにより、第１障子部材２１及び第２障子部材２２によって開口枠２００の開口Ｏを閉じた状態で、障子部材側パッキン７０と開口枠側パッキン８０とが奥行方向に重なるので、第１障子部材２１及び第２障子部材２２と開口枠２００との隙間がより確実に生じないようにできる。
【００４２】
なお、図６では省略されているが、第１障子部材２１の右端面に設けられた第１障子部材側パッキン７１と左右対称となる左端面における位置に、第１障子部材側パッキン７１と同様のパッキンを設けてもよい。
同様に、第２障子部材２２の左端面に設けられた第２障子部材側パッキン７２と左右対称となる右端面における位置に、第２障子部材側パッキン７２と同様のパッキンを設けてもよい。
【００４３】
以上、本考案の好ましい実施形態について詳述したが、本考案に係る建具１００、敷居レール部材１１及び鴨居レール部材１２は上述した実施形態に限定されるものではなく、実用新案登録請求の範囲に記載された本考案の要旨の範囲内において、種々の変形、変化が可能である。
【００４４】
本考案の建具１００によれば、既存の開口枠２００に取り付け可能な建具１００であって、建具１００は、長尺状の敷居レール部材１１及び長尺状の鴨居レール部材１２で構成される障子用レール１０と、敷居レール部材１１と鴨居レール部材１２との間に互いに引き違い自在に配置される第１障子部材２１及び第２障子部材２２と、を備え、敷居レール部材１１は、開口枠２００の下部に沿って開口枠２００の上面に取り付けられ、鴨居レール部材１２は、開口枠２００の上部に沿って開口枠２００の下面に取り付けられ、敷居レール部材１１及び鴨居レール部材１２は、第１障子部材２１及び第２障子部材２２を重ねた奥行寸法Ｗ＋Ｗよりも小さい奥行寸法ｗを有することにより、狭い奥行寸法しか確保できない既設窓枠の部分であっても建具１００を容易に設置できる。
【００４５】
本考案の敷居レール部材１１によれば、既存の開口枠２００に対して第１障子部材２１及び第２障子部材２２を互いに引き違い自在に配置可能な敷居レール部材１１であって、上部に摺動面１１ｓが設けられた基部１１Ｂと、基部１１Ｂにおける奥行方向の両端部に、長手方向に沿って設けられ、第１障子部材２１の下面に設けられた第１係止溝Ｇ１に係止される第１係止条Ｊ１及び第２障子部材２２の下面に設けられた第２係止溝Ｇ２に係止される第２係止条Ｊ２を有し、基部１１Ｂの下面は、開口枠２００に対して全面的に貼着できるように平坦となっているので、狭い奥行寸法しか確保できない既設窓枠の部分であって、かつ、その部分が平坦であっても、敷居レール部材１１を簡単に取り付けでき、障子部材２０を容易に設置できる。
【００４６】
本考案の鴨居レール部材１２によれば、既存の開口枠２００に対して第１障子部材２１及び第２障子部材２２を互いに引き違い自在に配置可能な鴨居レール部材１２であって、基部１２Ｂと、基部１２Ｂにおける奥行方向の両端部に、長手方向に沿って設けられ、第１障子部材２１の上面に設けられた第３係止溝Ｇ３に係止される第３係止条Ｊ３及び第２障子部材２２の上面に設けられた第４係止溝Ｇ４に係止される第４係止条Ｊ４を有し、基部１２Ｂの上面は、開口枠２００に対して全面的に貼着できるように平坦となっているので、狭い奥行寸法しか確保できない既設窓枠の部分であって、かつ、その部分が平坦であっても、鴨居レール部材１２を簡単に取り付けでき、障子部材２０を容易に設置できる。
【符号の説明】
【００４７】
１０    障子用レール
１１    敷居レール部材
１１Ｂ  基部
１１ｓ  摺動面
１２    鴨居レール部材
１２Ｂ  基部
２０    障子部材
２１    第１障子部材
２１ａ  組子
２１Ｄ  下桟
２１ｆ  矩形枠
２１Ｌ  左竪桟
２１Ｒ  右竪桟
２１Ｕ  上桟
２２    第２障子部材
２２ａ  組子
２２Ｄ  下桟
２２ｆ  矩形枠
２２Ｌ  左竪桟（竪桟）
２２Ｒ  右竪桟（竪桟）
２２Ｕ  上桟
３１    留めビス
３２    留めビス
４０    敷居スベリ
５０    不陸調整用シート
６０    高さ調節部材
６１    第１高さ調節部材
６１Ａ  調節部
６１Ｆ  固定部
６１Ｍ  本体部
６１Ｐ  進退部
６１Ｓ  摺動下面
６２    第２高さ調節部材
６２Ａ  調節部
６２Ｆ  固定部
６２Ｍ  本体部
６２Ｐ  進退部
６２Ｓ  摺動下面
７０    障子部材側パッキン
７１    第１障子部材側パッキン
７２    第２障子部材側パッキン
８０    開口枠側パッキン
８１    第１開口枠側パッキン
８２    第２開口枠側パッキン
１００  建具
２００  開口枠
２０１  上枠
２０２  下枠
２０３  左縦枠（縦枠）
２０４  右縦枠（縦枠）
Ｇ１    第１係止溝
Ｇ２    第２係止溝
Ｇ３    第３係止溝
Ｇ４    第４係止溝
Ｊ１    第１係止条
Ｊ２    第２係止条
Ｊ３    第３係止条
Ｊ４    第４係止条
Ｋ      ビス逃げ溝
Ｏ      開口
Ｐ      紙
Ｒ１    敷居補強リブ
Ｒ２    鴨居補強リブ
Ｓ      摺動面
ｗ      奥行寸法
Ｗ＋Ｗ  奥行寸法
【図１】
0003211594.tif 000003
【図２】
0003211594.tif 000004
【図３】
0003211594.tif 000005
【図４】
0003211594.tif 000006
【図５】
0003211594.tif 000007
【図６】
0003211594.tif 000008
【手続補正書】
【提出日】平成29年5月23日(2017.5.23)
【手続補正１】
【補正対象書類名】実用新案登録請求の範囲
【補正対象項目名】全文
【補正方法】変更
【補正の内容】
【実用新案登録請求の範囲】
【請求項１】
既存の開口枠に取り付け可能な建具であって、
前記建具は、長尺状の敷居レール部材及び長尺状の鴨居レール部材で構成される障子用レールと、前記敷居レール部材と前記鴨居レール部材との間に互いに引き違い自在に配置される第１障子部材及び第２障子部材と、を備え、
前記敷居レール部材は、前記開口枠の下部に沿って前記開口枠の上面に取り付けられ、
前記鴨居レール部材は、前記開口枠の上部に沿って前記開口枠の下面に取り付けられ、
前記敷居レール部材及び前記鴨居レール部材は、前記第１障子部材及び前記第２障子部材を重ねた奥行寸法よりも小さい奥行寸法を有する
ことを特徴とする建具。
【請求項２】
前記第１障子部材は、下面に、長手方向に沿って設けられる第１係止溝を有し、
前記第２障子部材は、下面に、長手方向に沿って設けられる第２係止溝を有し、
前記敷居レール部材は、
上部に摺動面が設けられた基部と、
前記基部における奥行方向の両端部に、長手方向に沿って設けられ、前記第１係止溝に係止される第１係止条及び前記第２係止溝に係止される第２係止条と、を有する
ことを特徴とする請求項１に記載の建具。
【請求項３】
前記敷居レール部材は、前記第１係止条と前記第２係止条との間に前記長手方向に沿って設けられ、前記第１障子部材と前記第２障子部材との間に両者を仕切るように配置される敷居補強リブを有する
ことを特徴とする請求項２に記載の建具。
【請求項４】
前記基部は、前記摺動面を有する摺動部材を上部に備え、
前記摺動部材は、前記敷居補強リブによって仕切られて奥行方向の移動が規制される
ことを特徴とする請求項３に記載の建具。
【請求項５】
前記第１障子部材は、上面に、長手方向に沿って設けられる第３係止溝を有し、
前記第２障子部材は、上面に、長手方向に沿って設けられる第４係止溝を有し、
前記鴨居レール部材は、
基部と、
前記基部における奥行方向の両端部に、長手方向に沿って設けられ、前記第３係止溝に係止される第３係止条及び前記第４係止溝に係止される第４係止条と、を有する
ことを特徴とする請求項２から請求項４のいずれか１項に記載の建具。
【請求項６】
前記鴨居レール部材は、前記第３係止条と前記第４係止条との間に前記長手方向に沿って設けられ、前記第１障子部材と前記第２障子部材との間に両者を仕切るように配置される鴨居補強リブを有する
ことを特徴とする請求項５に記載の建具。
【請求項７】
前記第３係止条及び前記第４係止条の上下寸法は、前記第１係止条及び前記第２係止条の上下寸法より大きい
ことを特徴とする請求項５又は請求項６に記載の建具。
【請求項８】
前記第１障子部材又は前記第２障子部材は、前記開口枠の縦枠に対向して竪桟に沿って前記竪桟に配置された、前記縦枠に自在に接する障子部材側パッキンを有する
ことを特徴とする請求項１から請求項７のいずれか１項に記載の建具。
【請求項９】
前記開口枠は、前記竪桟に対向して前記開口枠の縦枠に沿って前記縦枠に配置された、前記竪桟に自在に接する開口枠側パッキンを有する
ことを特徴とする請求項８に記載の建具。
【請求項１０】
前記敷居レール部材又は前記鴨居レール部材は、前記基部に、ビス逃げ溝を有する
ことを特徴とする請求項２から請求項７のいずれか１項に記載の建具。
【請求項１１】
既存の開口枠に対して第１障子部材及び第２障子部材を互いに引き違い自在に配置可能な敷居レール部材であって、
上部に摺動面が設けられた基部と、
前記基部における奥行方向の両端部に、長手方向に沿って設けられ、前記第１障子部材の下面に設けられた第１係止溝に係止される第１係止条及び前記第２障子部材の下面に設けられた第２係止溝に係止される第２係止条を有し、
前記基部の下面は、前記開口枠に対して全面的に貼着できるように平坦となっている
ことを特徴とする敷居レール部材。
【請求項１２】
既存の開口枠に対して第１障子部材及び第２障子部材を互いに引き違い自在に配置可能な鴨居レール部材であって、
基部と、
前記基部における奥行方向の両端部に、長手方向に沿って設けられ、前記第１障子部材の上面に設けられた第３係止溝に係止される第３係止条及び前記第２障子部材の上面に設けられた第４係止溝に係止される第４係止条を有し、
前記基部の上面は、前記開口枠に対して全面的に貼着できるように平坦となっている
ことを特徴とする鴨居レール部材。